(57)【要約】      （修正有）【課題】吸引口が塞がれ難くモーターの過熱を抑えることができる掃除機を提供する。【解決手段】本体１０とダストボックス３０とを含んでなり、該本体が、ベース１１と、上蓋１４と、該ベースに設けられたモーター１３と、ドラム２０と、殺菌ライト座４０と、ベースに設けられた第一吸引口１２１と、排気口１１５とを含み、ダストボックスが、上蓋１４に設けられ、ダストボックス内に排気口に貫通する気道を形成し、該気道と第一吸引口との間で別に開口３４１が設けられ、該開口が片体３４を閉じ、ダストボックスの一端には気道に貫通する第二吸引口３２を設けてなり、第一吸引口が塞がれた状態になり、第二吸引口が気道内に空気を送ることができて、第一吸引口が塞がれた状態になることを防ぐ構造からなる。【選択図】図４
0003158175.tif 000002
【実用新案登録請求の範囲】
【請求項１】
本体とダストボックスとを含んでなり、
該本体が、ベースと、上蓋と、該ベースに設けられたモーターと、ドラムと、殺菌ライト座と、該ベースに設けられた第一吸引口と、排気口とを含んでなり、
該ダストボックスが、上蓋に設けられ、ダストボックス内に排気口に貫通する気道を形成し、該気道と第一吸引口との間で別に開口が設けられ、該開口が片体を閉じ、ダストボックスの一端には気道に貫通する第二吸引口を設けてなり、第一吸引口が塞がれた状態になり、第二吸引口が気道内に空気を送ることができて、第一吸引口が塞がれた状態になることを防ぐことを特徴とする掃除機。
【請求項２】
前記ベースと上蓋が、上下に対応して螺設され、該ベースは端縁部の側面に形成された凹溝と、底部側面の該凹溝の下方に隣接して凹設された前方溝と、底溝とを含んでなり、該前方溝はドラムを設け、底溝は第一吸引口を具えた底蓋を対応するように螺設して被覆し、ベースは、底蓋が設けられた端縁部に対向する端縁部にモーターを設けてなり、該モーターの前方端縁部には複数の流動槽が設けられ、該ベースはモーターの下方に排気口を設けてなり、ベースに対応して被覆するように上蓋が設けられ、該上蓋のモーターに対応する一端にはハンドルが固定して螺設されることを特徴とする請求項１に記載の掃除機。
【請求項３】
前記上蓋が、側面に組み合わせ口を設けてなり、該組み合わせ口は内側上方端縁部に凸部を具えてなり、ダストボックスは、蓋体と、中空体と、弁座とを含んでなり、蓋体は一端に手ではじき上げると外すことができ、抑えると位置決めすることができるはじき部を形成し、他端には係合溝を設けてなり、凸部と凸凹を利用して係合し、はじき部が係合溝に向けて上昇するように傾斜を具えて形成され、はじき部に隣接する位置に第二吸引口が設けられ、第二吸引口、蓋体の底部側面には縦方向に延伸して片状に切断された複数の流動口を供えた柵片が設けられ、該中空体は中空で、一端には第一接続口が設けられ蓋体で被覆して螺接して固定するために供し、他端には中空の弁座を設けるために供する第二接続口が形成され、中空体に位置する弁座の下面には開口を設けてなり、片体は通常平らな状態で開口を被覆した状態に設けられ、中空体の底下から上方に流れた気流が上方に押し上げて片体が翻り、気流が開口から第二吸引口、流動口、気道、開口、第一吸引口を貫通した気道に進入し、片体の外径が開口の内径よりも小さいため、片体が単一方向にのみ翻ることを特徴とする請求項１に記載の掃除機。
【請求項４】
前記ダストボックスが、上蓋の組み合わせ口を塞ぐように設けられ、ダストボックスのはじき部とベースに形成された凹溝との間には適宜な距離が設けられ、手を該空間に挿入してはじき部を動かすことができることを特徴とする請求項３に記載の掃除機。
【請求項５】
前記ベースの底溝の内部に設けられた殺菌ライト座が、第一吸引口に隣接し、複数の殺菌ライト保護部材に電気的に接続することを特徴とする請求項１に記載の掃除機。
【請求項６】
前記殺菌ライト保護部材は、一端にフックを設けてなり、ベースに対応して設けられた孔に係合するために供し、殺菌ライト保護部材がそれぞれフックの外端でベースから外側に露出して突出し、殺菌ライト保護部材のフックをベースの内部に挿入すると、フックの端縁面がバネの一端に当接し、バネの他端が微動スイッチの弾性片に当接し、微動スイッチがハンドルの設けられたスイッチに電気的に接続することを特徴とする請求項１に記載の掃除機。
【請求項７】
前記上蓋に設けられた二組の発光表示部が、それぞれ、上蓋の両側の殺菌ライト座に対応する位置に嵌設され、殺菌ライト座が始動し、殺菌している状態を表示することを特徴とする請求項１に記載の掃除機。
【請求項８】
前記ダストボックスの蓋体が、柵片に滑動自在の調整片を設けることができる溝を具えてなり、該調整片は、一端にボタンを設けてなり、ボタンを動かして調整片を移動させることができ、柵片の流動口の遮断する面積を調整して第二吸引口に進入する気流量を調整することができることを特徴とする請求項３に記載の掃除機。
【考案の詳細な説明】
【技術分野】
【０００１】
この考案は、掃除機であって、特に塵やほこりなどを吸い込む掃除機に関する。
【背景技術】
【０００２】
掃除機は通常、塵やほこりを清掃する掃除用の家電製品として使用されている。
【０００３】
掃除機はその機能が相次いで新しく開発され、掛け布団、ベッドマット、ベッドパッドなどの製品に対して叩く、殺菌する機能を具えた掃除機がある。
【０００４】
前述の掃除機は、内部に設けられたドラムで掛け布団、ベッドパッドなどを叩き、表面の塵、ほこりなどを叩き出すと同時に、掃除機の吸引力で吸い込み、殺菌灯で吸い込んだ塵をＵＶライトで殺菌し、比較的きれいな空気を排出する。
【０００５】
上述の掃除機は図１０に開示するように、本体９０を含んでなる。
【０００６】
該本体９０は、底部端縁部に吸引口９１を設けてなる。
【０００７】
本体９０の内部は、吸引口９１に隣接する端縁部から始まり、他端に向けて第一殺菌部９２、第二殺菌部９３、モーター９４、第三殺菌部９５の順に設けられ、第三殺菌部９５の下方には排出口９６が設けられる。
【０００８】
吸引口９１はドラムで叩き出された塵やほこりを吸い込み、第一殺菌部９２、第二殺菌部９３など二回ＵＶライトで殺菌した後、モーター９４の吸引力を通して排出口９６から排出される。
【０００９】
排出口９６に送られると、第三殺菌部９５で加熱ライトの加熱殺菌が実施され、最後の殺菌が行われる。
【００１０】
上述の掃除機は殺菌の機能を具えているが、使用上、改善するべき問題があった。
【００１１】
掛け布団、ベッドマット、ベッドパッドなどの製品は、生地が比較的柔らかく、硬質で固定された製品ではない。
【００１２】
よって、掃除機を正常に作動すると、底部の吸引口９１の強い吸引力で掛け布団、ベッドマット、ベッドパッドなどの柔らかい製品が吸着し、甚だしくは吸引口９１に吸い込まれ、吸引口９１が塞がれて使用できなくなる。
【００１３】
塞がれた吸引口９１は吸引力が大きいため、使用者の力ではすばやく掛け布団などの柔らかいものを引き離すことが難しい。
【００１４】
よって、吸引口９１が塞がれた状況では、塵などの吸引が難しくなる。
【００１５】
また、吸引口９１が塞がれている間、掃除機の気流を循環することができないが、モーター９４は常に作動している。
【００１６】
このため、吸引口９１が塞がれていると、放熱する作用が低下して、モーター９４が比較的早く加熱し、使用寿命に影響を与える。
【考案の開示】
【考案が解決しようとする課題】
【００１７】
この考案は、吸引口が塞がれ難くモーターの過熱を抑えることができる掃除機を提供することを課題とする。
【課題を解決するための手段】
【００１８】
そこで、本考案者は従来の技術に見られる欠点に鑑みて鋭意研究を重ねた結果、本体とダストボックスとを含んでなり、該本体が、ベースと、上蓋と、該ベースに設けられたモーターと、ドラムと、殺菌ライト座と、該ベースに設けられた第一吸引口と、排気口とを含んでなり、該ダストボックスが、上蓋に設けられ、ダストボックス内に排気口に貫通する気道を形成し、該気道と第一吸引口との間で別に開口が設けられ、該開口が片体を閉じ、ダストボックスの一端には気道に貫通する第二吸引口を設けてなり、第一吸引口が塞がれた状態になり、第二吸引口が気道内に空気を送ることができて、第一吸引口が塞がれた状態になることを防ぐ掃除機によって課題を解決できる点に着眼し、かかる知見に基づいて本考案を完成させた。
【００１９】
以下、この考案について具体的に説明する。
請求項１に記載の掃除機は、本体とダストボックスとを含んでなり、
該本体が、ベースと、上蓋と、該ベースに設けられたモーターと、ドラムと、殺菌ライト座と、該ベースに設けられた第一吸引口と、排気口とを含んでなり、
該ダストボックスが、上蓋に設けられ、ダストボックス内に排気口に貫通する気道を形成し、該気道と第一吸引口との間で別に開口が設けられ、該開口が片体を閉じ、ダストボックスの一端には気道に貫通する第二吸引口を設けてなり、第一吸引口が塞がれた状態になり、第二吸引口が気道内に空気を送ることができて、第一吸引口が塞がれた状態になることを防ぐ。
【００２０】
請求項２に記載の掃除機は、請求項１におけるベースと上蓋が、上下に対応して螺設され、該ベースは端縁部の側面に形成された凹溝と、底部側面の該凹溝の下方に隣接して凹設された前方溝と、底溝とを含んでなり、該前方溝はドラムを設け、底溝は第一吸引口を具えた底蓋を対応するように螺設して被覆し、ベースは、底蓋が設けられた端縁部に対向する端縁部にモーターを設けてなり、該モーターの前方端縁部には複数の流動槽が設けられ、該ベースはモーターの下方に排気口を設けてなり、ベースに対応して被覆するように上蓋が設けられ、該上蓋のモーターに対応する一端にはハンドルが固定して螺設される。
【００２１】
請求項３に記載の掃除機は、請求項１における上蓋が、側面に組み合わせ口を設けてなり、該組み合わせ口は内側上方端縁部に凸部を具えてなり、ダストボックスは、蓋体と、中空体と、弁座とを含んでなり、蓋体は一端に手ではじき上げると外すことができ、抑えると位置決めすることができるはじき部を形成し、他端には係合溝を設けてなり、凸部と凸凹を利用して係合し、はじき部が係合溝に向けて上昇するように傾斜を具えて形成され、はじき部に隣接する位置に第二吸引口が設けられ、第二吸引口、蓋体の底部側面には縦方向に延伸して片状に切断された複数の流動口を供えた柵片が設けられ、該中空体は中空で、一端には第一接続口が設けられ蓋体で被覆して螺接して固定するために供し、他端には中空の弁座を設けるために供する第二接続口が形成され、中空体に位置する弁座の下面には開口を設けてなり、片体は通常平らな状態で開口を被覆した状態に設けられ、中空体の底下から上方に流れた気流が上方に押し上げて片体が翻り、気流が開口から第二吸引口、流動口、気道、開口、第一吸引口を貫通した気道に進入し、片体の外径が開口の内径よりも小さいため、片体が単一方向にのみ翻る。
【００２２】
請求項４に記載の掃除機は、請求項３におけるダストボックスが、上蓋の組み合わせ口を塞ぐように設けられ、ダストボックスのはじき部とベースに形成された凹溝との間には適宜な距離が設けられ、手を該空間に挿入してはじき部を動かすことができる。
【００２３】
請求項５に記載の掃除機は、請求項１におけるベースの底溝の内部に設けられた殺菌ライト座が、第一吸引口に隣接し、複数の殺菌ライト保護部材に電気的に接続する。
【００２４】
請求項６に記載の掃除機は、請求項１における殺菌ライト保護部材は、一端にフックを設けてなり、ベースに対応して設けられた孔に係合するために供し、殺菌ライト保護部材がそれぞれフックの外端でベースから外側に露出して突出し、殺菌ライト保護部材のフックをベースの内部に挿入すると、フックの端縁面がバネの一端に当接し、バネの他端が微動スイッチの弾性片に当接し、微動スイッチがハンドルの設けられたスイッチに電気的に接続する。
【００２５】
請求項７に記載の掃除機は、請求項１における上蓋に設けられた二組の発光表示部が、それぞれ、上蓋の両側の殺菌ライト座に対応する位置に嵌設され、殺菌ライト座が始動し、殺菌している状態を表示する。
【００２６】
請求項８に記載の掃除機は、請求項３におけるダストボックスの蓋体が、柵片に滑動自在の調整片を設けることができる溝を具えてなり、該調整片は、一端にボタンを設けてなり、ボタンを動かして調整片を移動させることができ、柵片の流動口の遮断する面積を調整して第二吸引口に進入する気流量を調整することができる。
【考案の効果】
【００２７】
この考案による掃除機は、柔らかい物が吸引口に吸い込まれても簡単に取り外すことができ、且つ室内の空気をろ過するという効果を有する。
【考案を実施するための最良の形態】
【００２８】
この考案は、吸引口が塞がれ難くモーターの過熱を抑えることができる掃除機であって、本体とダストボックスとを含んでなり、
該本体が、ベースと、上蓋と、該ベースに設けられたモーターと、ドラムと、殺菌ライト座と、該ベースに設けられた第一吸引口と、排気口とを含んでなり、
該ダストボックスが、上蓋に設けられ、ダストボックス内に排気口に貫通する気道を形成し、該気道と第一吸引口との間で別に開口が設けられ、該開口が片体を閉じ、ダストボックスの一端には気道に貫通する第二吸引口を設けてなり、第一吸引口が塞がれた状態になり、第二吸引口が気道内に空気を送ることができて、第一吸引口が塞がれた状態になることを防ぐ掃除機の構造と特徴を詳述するために具体的な実施例を挙げ、図示を参照にして以下に説明する。
【実施例】
【００２９】
図１は、この考案の掃除機を示した斜視図である。
【００３０】
図面によれば、この考案の掃除機は、本体１０と、該本体１０に設けられたダストボックス３０と、該ダストボックス３０上に設けられた第二吸引口３２とを含んでなる。
【００３１】
図１から図３に開示するように、本体１０は、ベース１１と、上蓋１４と、ダストボックス３０と、ドラム２０と、殺菌ライト座４０とを含んでなる。
【００３２】
該ベース１１と上蓋１４は、上下に対応して螺接される。
【００３３】
該ベース１１は、端縁部の側面に形成された凹溝１１１と、底部側面の該凹溝１１１の下方に隣接して凹設された前方溝１１２と、底溝１１３とを含んでなる。
【００３４】
該前方溝１１２は、ドラム２０を設けるために供する。底溝１１３は、底蓋１２を対応するように設けて被覆して螺接する。
【００３５】
該底蓋１２には第一吸引口１２１を構成する複数の孔が形成される。
【００３６】
該ベース１１は、底部側面に回転自在のタイヤ１１４を設けてなる。
【００３７】
ベース１１は、底蓋１２が設けられた端縁部に対向する端縁部にモーター１３を接続して設ける。
【００３８】
該モーター１３の前方端縁部には複数の流動槽１３２が設けられる。
【００３９】
ベース１１は、モーター１３の下方に排気口１１５を設けてなる。
【００４０】
ベース１１に対応して被覆するように設けられた上蓋１４は、側面に傾斜を備えた組み合わせ口１４１が設けられる。
【００４１】
該組み合わせ口１４１は図２、図４に開示するように、内側上方端縁部に凸部１４２を設けてなる。
【００４２】
上蓋１４は、モーター１３の一端に対応してハンドル１５を螺接固定する。該ハンドル１５にはモーター１３のスイッチ１５１を電気的に接続して設け、モーター１３の開始、或いは停止を制御するために供する。
【００４３】
ドラム２０とドラムの駆動部２５は、ベース１１に設けられる。図２、図４、図８に開示するように、ドラム２０は中央に突出して支柱２１を設けてなり、ドラム２０を前方溝１１２に下方から上方に設ける。
【００４４】
よって、ドラム２０の底部がベース１１の外側に露出された状態になる。
【００４５】
ドラム２０の支柱２１をベース１１内に挿設し、長方形の片体２２の中間に固定接続する。
【００４６】
片体２２は一端がベース１１内の柱２２１に活動自在に設けられ、片体２２が軸接して上下に揺動する。
【００４７】
片体２２の他端は永久磁石２２２を固定する。
【００４８】
ドラムの駆動部２５は、ベース１１内部に隣接する前方溝１１２に位置決めされる。
【００４９】
該駆動部２５は、二つの電磁鉄を設けてなり、それぞれ電磁鉄Ｎ極２６と電磁鉄Ｓ極２７とを具えてなる。
【００５０】
電磁鉄Ｎ極２６、電磁鉄Ｓ極２７によって、永久磁石２２２は交互に電磁的な吸引力を発生し、永久磁石２２２及び片体２２を上下に揺動させる。
【００５１】
連動した片体２２に接続したドラム２０が上下に揺動する。
【００５２】
このため、第一吸引口１２１に位置する掛け布団などの柔らかい対象物が反復して叩かれ、掛け布団の塵やほこりが叩き出されて布団から離れさすことができる。
【００５３】
ダストボックス３０は、上蓋１４の組み合わせ口１４１に設けられる。
【００５４】
図１、図２、図４、図５に開示するように、ダストボックス３０は、蓋体３１と、中空体３３と、弁座３５とを含んでなる。
【００５５】
蓋体３１は、一端に手ではじき上げると外すことができ、抑えると位置決めすることができるはじき部３１１を形成し、他端には係合溝３１２を設けてなる。
【００５６】
はじき部３１１は、係合溝３１２に向けて上昇するように傾斜を具えて形成され、はじき部３１１に隣接する位置に第二吸引口３２が設けられる。
【００５７】
隣接する第二吸引口３２、蓋体３１の底部側面には、縦方向に延伸して片状に切断された複数の流動口３１４を具えた柵片３１３が設けられる。
【００５８】
中空体３３は中空で、一端には第一接続口３３１が形成され、蓋体３１で被覆して螺接して固定するために供し、他端に形成された第二接続口３３２は、中空の弁座３５を設けるために供し、第二接続口３３２から挿入して接続する。
【００５９】
弁座３５は、一端に内径が比較的小さい小径端縁部３５１を具えてなり、他端が円錐状に拡大した大径端縁部３５２を具えてなる。
【００６０】
弁座３５は、小径端縁部３５１を中空体３３に挿入し、大径端縁部３５２が第二接続口３３２に貼着するように設ける。
【００６１】
中空体３３は、弁座３５の下方面に開口３４１を設けてなる。該開口３４１は本体１０の下方の第一吸引口１２１に貫通する。
【００６２】
開口３４１は側面に翻る片体３４を設けてなる。該片体３４は通常、平らな状態に設けられて開口３４１を被覆した状態に設けられ、ダストボックス３０の蓋体３１と中空体３３、弁座３５との間に気道３６を形成する。
【００６３】
よって、中空体３３の底部下から上方に流れた気流が片体３４を上方に押し上げて片体３４が翻り、開口３４１から離れると、気流が開口３４１から気道３６に進入し、第二吸引口３２、気道３６、開口３４１を介して第一吸引口１２１に貫通した状態になる。
【００６４】
片体３４は開口３４１の範囲が比較的小さいという制限を受けるため、片体３４が蛍光３４１の方向に移動することがなく、片体３４は上方に翻るのみで、単一方向に貫通する単一弁の働きを有する。
【００６５】
ダストボックス３０は、上蓋１４の組み合わせ口１４１を塞ぐように設けられ、柵片３１３の底端が組み合わせ口１４１の内面を跨ぐように設けられる。
【００６６】
係合溝３１２は、凸部１４２と凸凹を利用して係合し、ダストボックス３０が本体１０に位置決めされる。
【００６７】
同時に弁座３５も気道３６、流動槽１３２、モーター１３、排気口１１５に貫通する空気の経路を供する。
【００６８】
はじき部３１１と凹溝１１１との間には適宜な距離が設けられ、手を該空間に挿入してはじき部３１１をはじき部を動かしてダストボックス３０を本体１０に設ける、或いは外すを制御することができる。
【００６９】
殺菌ライト座４０は、ベース１１の底溝１１３内に設けられ、第一吸引口１２１に隣接する。
【００７０】
殺菌ライト座４０は二組の殺菌ライト保護部材４２に電気的に接続する。
【００７１】
図２、３、６、７に開示するように、殺菌ライト座４０は、殺菌用のＵＶライトからなる。
【００７２】
電気的に接続した殺菌ライト座４０は殺菌ライト保護部材４２を介してスイッチ１５１を動かすと、殺菌ライト座４０が始動してライトが光る。
【００７３】
殺菌ライト保護部材４２は、一端にフック４２１を設けてなり、ベース１１に対応して設けられた孔４２２に係合するために供する。
【００７４】
よって、殺菌ライト保護部材４２がそれぞれフック４２１の外端でベース１１から外側に露出して突出する。
【００７５】
殺菌ライト保護部材４２のフック４２１をベース１１の内部に挿入すると、フック４２１の端縁面がバネ４３の一端に当接する。
【００７６】
バネ４３の他端が微動スイッチ４４の弾性片４４１に当接し、フック４２１に逆さ溝フックが設けられているため、殺菌ライト保護部材４２が孔４２２に挿入されると、抜け落ちることがなく、制限された空間を上下に移動する。
【００７７】
微動スイッチ４４はスイッチ１５１に電気的に接続する。
【００７８】
よって、殺菌ライト保護部材４２を押し圧すると、バネ４３が圧縮されて位置が動く。
【００７９】
このため、弾性片４４１が微動スイッチ４４、スイッチ１５１を始動し、殺菌ライト座４０が始動し、光る。
【００８０】
殺菌ライト保護部材４２はそれぞれベース１１の両側に設けられ、どちらの殺菌ライド保護部材４２も確実に柔らかい対象物に接触し、いずれも殺菌ライト座４０に接触して動かし、柔らかい対象物への接触が異なる状況が発生することを防ぐことができる。
【００８１】
二組の発光表示部４６を設けてなる。該発光表示部４６はそれぞれ、上蓋１４の組み合わせ口１４１両側の長孔４６１に、殺菌ライト座４０に対応して嵌設される。
【００８２】
該発光表示部４６は、センサーによって光る機能を具えてなり、殺菌ライト座４０が発光すると、反応して光る。
【００８３】
よって、殺菌ライト座４０の始動、殺菌状態を表示することができる。
【００８４】
掛け布団など柔らかい物に本体１０のベース１１底面が接触すると、殺菌ライト保護部材４２が該柔らかい物に接触し、微動スイッチ４４が始動する。
【００８５】
スイッチ１５１で経路が形成され、ドラム２０が叩き始め、柔らかい物の塵やほこりが飛び上がり舞ってモーター１３が駆動して回転すると、吸引力が発生し、該塵やほこりが第一吸引口１２１から進入する。
【００８６】
片体３４を外すと、弁座３５、流動槽１３２、排気口１１５から塵やほこりが排出される。
【００８７】
殺菌ライト座４０は、殺菌ライトで柔らかいものに接触、付着しているものを殺菌する。
【００８８】
第一吸引口１２１が塞がれていると、第二吸引口３２が設けられているため、第二吸引口３２が内部の気流を内部に取り入れる役目を果たし、気道３６の一部の第一吸引口１２１の吸引力がなくなり、使用者はスムーズで、比較的すばやく第一吸引口１２１を塞いでいるものを取り除くことができる。
【００８９】
また、第二吸引口３２の風を取り入れる作用によって、室内の空気をろ過することができる。
【００９０】
図９に開示するように、蓋体３１の柵片３１３に溝５１が設けられ、滑動自在の調整片５０を設けることができる。
【００９１】
該調整片５０は、一端にボタン５２を設けてなり、該ボタン５２を動かして流動口３１４をすべて遮断するか、或いは一部を遮断するか、全開し、第二吸引口３２を調整して気道３６に進入する気流量を調整する空気制御の役割を具えてなる。
【００９２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００９３】
【図１】この考案の掃除機を示した斜視図である。
【図２】この考案の掃除機を示した分解図である。
【図３】この考案の掃除機の底蓋、殺菌ライト座、本体を示した説明図である。
【図４】この考案の掃除機を長手方向に切断した状態を示した断面図である。
【図５】この考案の掃除機のダストボックスを示した説明図である。
【図６】この考案の掃除機の殺菌ライト保護部材を組み合わせた状態を示した断面図である。
【図７】この考案の掃除機に設けられた発光表示部を組み合わせた状態を示した断面図である。
【図８】この考案の掃除機のドラムの動作を示した説明図である。
【図９】この考案の掃除機の別の実施形態を示した部分拡大図である。
【図１０】この考案の掃除機の蒸気発生機を示した長手方向断面図である。
【符号の説明】
【００９４】
１０       本体
１１       ベース
１１１     凹溝
１１２     前方溝
１１３     底溝
１１４     タイヤ
１１５     排気口
１２       底蓋
１２１     第一吸引口
１３       モーター
１３２     流動槽
１４       上蓋
１４１     組み合わせ口
１４２     凸部
１５       ハンドル
１５１     スイッチ
２０       ドラム
２１       支柱
２２       片体
２２１     柱
２２２     永久磁石
２５       駆動部
２６       電磁鉄Ｎ極
２７       電磁鉄Ｓ極
３０       ダストボックス
３１       蓋体
３１１     はじき部
３１２     係合溝
３１３     柵片
３１４     流動口
３２       第二吸引口
３３       中空体
３３１     第一接続口
３３２     第二接続口
３４       片体
３４１     開口
３５       弁座
３５１     小径端縁部
３５２     大径端縁部
３６       気道
４０       殺菌ライト座
４２       殺菌ライト保護部材
４２１     フック
４２２     孔
４３       バネ
４４       微動スイッチ
４４１     弾性片
４６       発光表示部
４６１     長孔
５０       調整片
５１       溝
５２       ボタン
９０       本体
９１       吸引口
９２       第一殺菌部
９３       第二殺菌部
９４       モーター
９５       第三殺菌部
９６       排出口
【図１】
0003158175.tif 000003
【図２】
0003158175.tif 000004
【図３】
0003158175.tif 000005
【図４】
0003158175.tif 000006
【図５】
0003158175.tif 000007
【図６】
0003158175.tif 000008
【図７】
0003158175.tif 000009
【図８】
0003158175.tif 000010
【図９】
0003158175.tif 000011
【図１０】
0003158175.tif 000012